(57)【特許請求の範囲】
【請求項１】
加熱ローラに対して離型剤を含浸させたウェブを接触させて加熱ローラ表面の汚れを清掃するウェブクリーニングユニットを着脱自在に備えた定着装置において、
該ウェブクリーニングユニットは未使用のウェブを巻きつけた送り出しローラと使用済みのウェブを巻き取る巻取ローラを備え、
該巻取ローラの軸には、巻取りローラに回転力を伝達する巻取ギアが巻取り軸に対して所定角度回転自在に取り付けられると共に、該巻取ギアには駆動源からの駆動を伝達する伝達ギアが噛合っており、該伝達ギアの回転軸には駆動源から駆動に対して一方向にのみ回転可能なワンウェイクラッチが取り付けられていることを特徴とする定着装置。
【請求項２】
上記巻取ギアは回転中心に対して向かい合って一対の略扇形の空間を有している請求項１記載の定着装置
【請求項３】
上記巻取ローラ軸は端部に上記巻取りローラの扇形空間と係合し巻取りギアの回転に伴って軸に駆動を伝達するためのピン部材が設けられている請求項１記載の定着装置。
【発明の詳細な説明】
【０００１】
【発明の属する技術分野】
本発明は、複写機、ファクシミリ、プリンタ等の電子写真方式を採用した画像形成装置に使用される定着装置に関するものであり、特に定着ローラのクリーニング用のウェブ装置を備えたクリーニング装置に関する。
【０００２】
【従来の技術】
複写機等の画像形成装置では、未定着のトナー像が形成された用紙を加熱ローラと加圧ローラとからなる定着ローラ対に挟持搬送させることで、該トナー像を用紙上に溶融定着させる所謂加熱定着方式を採用した商品が非常に多い。この加熱定着方式における定着装置では、加熱ローラの残留トナーの清掃とオフセット防止用にオイルを含浸させたウェブを該加熱ローラ表面に当接させているウェブクリーニングユニットが装着されているものが広く知られている。該ウェブクリーニングユニットは、ウェブと該ウェブを捲回した捲回ローラと該捲回ローラに捲回されたウェブを巻き取る巻取ローラ等によって主に構成されている。例えば、複写機の場合ではコピーを重ねる毎に該ウェブの加熱ローラ表面に当接する個所が汚れてくるので、数十枚コピーする毎に巻取ローラを所定量回転させて使用済みウェブを巻き取り、新しいウェブを加熱ローラ表面に当接させるようにしている。
【０００３】
このようなウェブクリーニング機構を採用する場合に注しなければならないのは、円滑なクリーニングを実現するために、ウェブ自身にたるみが発生しなようにすることである。
そのため従来では、たとえば登録特許２８８２８４２号公報のように、ウェブの送り出し軸ならびに巻取り軸にギアを設け、このギアにブレーキ機構を噛み合わせることで、軸の不要な回転を防止し、たるみを防止している。
あるいは巻取り軸にラチェット機構を採用し、送り出し軸にはワンウェイクラッチを採用してウェブのたるみを防止したものも提案されている（特開平８−１５２８０１号）。
【０００４】
しかしながら、この従来技術では比較的弱いバネ性とはいえ板状のブレーキ部材をギアに噛み合わせて使用するため、駆動少なからず負荷を与えている。またギアとブレーキの接触音も発生する。
またワンウェイクラッチを採用する場合には、ウェブクリーニング機構をユニット化するときに、このユニットが外部の駆動手段とギアなどで連結されていると、このワンウェイクラッチの作用で、ギアそのものの回転が制御されているため、ギアの噛み合わせを解除して取り出すことが難しくなる。
【０００５】
【発明が解決しようとする課題】
そこで、上記従来技術を更に改良し、ウェブクリーニング機構をユニット化し、定着装置に対して着脱自在な機構を採用する場合にも、ウェブのたるみを防止できる技術が望まれている。
【０００６】
本発明は、上記課題に鑑みてなされたものであり、その目的は、ウェブクリーニング機構をユニット化し、定着装置に対して着脱自在な機構を採用する場合にも、ウェブのたるみを防止できる画像形成装置を提供するものである。
【０００７】
【課題を解決するための手段】
上記目的を達成するため、請求項１に記載の発明は、加熱ローラに対して離型剤を含浸させたウェブを接触させて加熱ローラ表面の汚れを清掃するウェブクリーニングユニットを着脱自在に備えた定着装置において、該ウェブクリーニングユニットは未使用のウェブを巻きつけた送り出しローラと使用済みのウェブを巻き取る巻き取りローラを備え、該巻取りローラの軸には、巻取りローラに回転力を伝達する巻取りギアが巻取り軸に対して所定角度回転自在に取り付けられると共に、該巻取りギアには駆動源からの駆動を伝達する伝達ギアが噛合っており、該伝達ギアの回転軸には駆動源から駆動に対して一方向にのみ回転可能なワンウェイクラッチが取り付けられていることを特徴とする定着装置である。
【０００８】
この請求項１の発明によれば、巻取りギアが巻取り軸に対して所定角度回転自在になっているため、巻取り機構の駆動連結手段に例えワンウェイクラッチが挿入されている場合でも、取り出し時に巻取りギアが回転し駆動ギアとの噛み合わせを簡単に解除することが可能となる。
【０００９】
更に請求項２の発明は、請求項１記載の定着装置に関して、上記巻取りギアは回転中心に対して向かい合って一対の略扇形の空間を有していることを特徴としている。
【００１０】
この発明によれば、ギアそのものに略扇形の空間を形成することで、複雑な機構を採用することなく巻取りギアに所定角度回転自在な構造とすることができる。
【００１１】
また請求項３の発明は、請求項１の定着装置に関して、上記巻取りローラ軸は端部に上記巻取りローラの扇形空間と係合し巻取りギアの回転に伴って軸に駆動を伝達するためのピン部材を設けたことを特徴としている。
【００１２】
この請求項３の発明によれば、巻取り軸に取り付けたピン部材が略扇形の空間内を移動し、扇形の空間の側面部と係合することでギアの駆動を軸に伝達できる。従って、極めて簡単な機構で軸への駆動伝達と、ギアに対してはユニット取り出し時の回転可能な遊び空間を確保することが可能となる
【００１３】
以下本発明の特徴を添付した図面を参照して説明する。
【００１４】
【発明の実施の形態】
以下に、本発明の具体的な実施形態について図面を参照しながら説明する。図１は本発明の定着装置を適用する画像形成装置の一例としての複写機の概略断面図、図２は定着装置を示す模式的断面図、図３はクリーニング装置へウェブ巻取りのための駆動力伝達機構を示した部分斜視図である。
【００１５】
まず、図１を参照して、この複写機は、複写機本体１の下部に配設された給紙部１００と、この給紙部１００の側方及び上方に配設された用紙搬送部２００と、この用紙搬送部２００の上方に配設された画像形成部３００と、この画像形成部３００よりも排出側に配設された定着装置４００と、これらの画像形成部３００および定着装置４００の上方に配設された光学系部材などからなる画像読取部５００を備えている。
【００１６】
給紙部１００は、４つの給紙カセット１１１のうちの選択された給紙カセット１１１から、円弧外周部を有する給紙ローラ１１２の回転動作によって給紙カセット１１１の出口側（図１の右側）に用紙１１５を送り出すとともに、給紙カセット１１１の幅方向両端上部にそれぞれ設けられたさばき部１１６によってさばくことにより、最上位置の用紙１１５を１枚ずつ確実に用紙搬送部２００に給紙するようになっている。また、これら４つの給紙カセット１１１は複写機本体１に対し、引き出し自在に構成されている。
【００１７】
用紙搬送部２００は、給紙部１００から給紙された用紙１１５を、搬送ローラ対２０２およびレジストローラ対２０３によって画像形成部３００に向けて搬送し、さらに画像形成部３００から定着装置４００において画像形成がなされた用紙１１５を排出ローラ対２０５によって排出トレイ２０４上に排出するようになっている。また、排出ローラ対２０５の搬送方向上流側であって後述する定着装置４００の搬送方向下流側には排出スイッチＳＷが設けられている。該排出スイッチＳＷは用紙搬送部２００内での紙詰まりを検出するためのものであり、また複写機本体１でコピーされたコピー枚数をカウントするためのものでもある。該排出スイッチＳＷによるコピー枚数のカウントに関しては後述する。
【００１８】
画像形成部３００は、電子写真プロセスによって、用紙１１５に所定のトナー像を形成するものであり、回転可能に軸支された光導電性を有する感光体ドラム３０１と、この感光体ドラム３０１の周囲にその回転方向に沿って、帯電ユニット３０２、露光ユニット３０３、現像ユニット３０４、転写ユニット３０５、クリーナー３０６および除電ユニット３０７を備えている。
【００１９】
帯電ユニット３０２は、高電圧が印加される帯電ワイヤを備え、この帯電ワイヤからのコロナ放電によって感光体ドラム３０１の表面に所定電位を与えるものである。露光ユニット３０３は、後述する画像読取部５００によって読み取られた原稿の画像データに基づいてレーザ発光器から出力されるレーザ光を、ポリゴンミラーおよび反射鏡を介して感光体ドラム３０１に照射することにより、感光体ドラム３０１表面の電位を選択的に減衰させて、この感光体ドラム３０１の表面に静電潜像を形成するものである。現像ユニット３０４は、上記静電潜像をトナーにより現像して、感光体ドラム３０１の表面にトナー像を形成するものである。転写ユニット３０５は、感光体ドラム３０１の表面のトナー像を用紙１１５に転写するものである。この複写機においては、転写ユニット３０５は、感光体ドラム３０１から所定距離だけ離間した転写ローラによって構成されている。クリーナー３０６は、転写後の感光体ドラム３０１の表面に残留しているトナーを除去するものである。除電ユニット３０７は、感光体ドラム３０１の表面の残留電荷を除去するものである。
【００２０】
定着装置４００は、この画像形成部３００の用紙搬送方向の下流側に配置され、画像形成部３００においてトナー像が転写された用紙１１５を、加熱ローラ４０１およびこの加熱ローラ４０１に押し付けられる加圧ローラ４０２によって挟んで加熱し、用紙１１５上にトナー像を定着させるものである。該定着装置４００には、加熱ローラ４０１表面に付着した残留トナーの清掃と、オフセット防止の目的で、ウェブクリーニングユニット６００が設けられている（図１では図示せず）。尚、該ウェブクリーニングユニット６００については後述する。
【００２１】
画像読取部５００は、コンタクトガラス５０１上に載置された原稿に、露光ランプから光を照射し、その反射光を反射鏡を介してＣＣＤラインセンサ等からなる光電変換部に導くことにより、原稿の画像情報を読み取るものである。なお、露光ランプおよび反射鏡は走査動作部を形成しており、この走査動作部が、所定の速度で図１の左右方向に移動領域５０８を移動動作することにより、コンタクトガラス５０１上に載置された原稿の全面を走査し、原稿全面の画像を読み取ることができる様になっている。
【００２２】
次に、図２及び図３を参照してウェブクリーニングユニット６００の具体的構成について説明する。加熱ローラ４０１には２本のヒータ４１０、４１１が内蔵されており、矢印Ａ方向に回転する。また、加熱ローラ４０１の表面にはオイルを含浸させたウェブ６０１が当接するようにウェブクリーニングユニット６００が加圧ローラ４０２と反対側に配置されている。ウェブ６０１は不識布、紙、あるいは布等を材料として構成された薄いウェブ状のシートであり、該ウェブ６０１にはシリコンオイルを含浸させることが好ましい。
【００２３】
ウェブクリーニングユニット６００は、ウェブ６０１を捲回した捲回ローラ６１０と、捲回ローラ６１０に捲回されたウェブ６０１を巻き取る巻取ローラ６３０と、捲回ローラ６１０と巻取ローラ６３０との間に架け渡されたウェブ６０１を加熱ローラ４０１の表面にバネ６０５で押圧された押圧ローラ６２０とで主に構成され、定着装置４００に対して着脱自在なユニット化されている。
【００２４】
該捲回ローラ６１０、押圧ローラ６２０、巻取ローラ６３０はウェブクリーニングユニット６００のハウジング６０７を構成する側板等に軸支されている。尚、捲回ローラ６１０及び巻取ローラ６３０は、例えばアルミ等の芯金のみで構成されており、該芯金にウェブ６０１を巻きつけるようになっている。また、押圧ローラ６２０は例えばシリコンスポンジで構成されている。また、該巻取ローラ６３０の一端部には該巻取ローラ６３０に駆動を伝えるための巻取ギア部６３１が設けられている。該巻取ギア６３１は、伝達ギア６４１を介して駆動ギア６５１にギア連結されている。この伝達ギアは図３に示した様に軸６４７の両端部にギアを備えた構造をしており、一方の伝達ギア６４１が巻取ギア６３１に噛合い、他方のギアは同軸に定着装置本体の外側板に取り付けられたワンウェイクラッチ６４３を備えた伝達ギア６４２（以下ワンウェイギアと称す）となっている。そしてこのワンウェイギア６４２に駆動ギア６５１が噛み合せられ、駆動ギアの回転方向のみの回転を許容するような構造となっている。
【００２５】
この駆動ギア６５１には駆動ギアに対して同軸にラチェットギア部６５２が形成され、ソレノイド（駆動源）６６０のプランジャー６６１の自由端に形成したフック６６２との係合によって間欠駆動されるようになっている。したがって、ソレノイド６６０が作動し、プランジャー６６１が矢印Ｆ方向に移動すると、駆動ギア６５１は矢印Ｅ方向に間欠的に回転しワンウェイギアギア６４２および伝達ギア６４１、巻取ギア６３１を介して巻取ローラ６３０が矢印Ｂ方向に回転する。これによってウェブ６０１は矢印Ｃ方向に移動する。このように、ウェブ６０１の移動方向（矢印Ｃ方向）と加熱ローラ４０１の回転方向（矢印Ａ方向）とをそれぞれ逆方向にすることでクリーニング性能を向上させている。しかも駆動伝達機構にワンウェイクラッチ６４３を取り付けているため、巻取ローラ６３０の逆回転は規制され、ウェブはたるむことなく巻き取られていく。
【００２６】
上記のような構成によるウェブクリーニングユニット６００を備えた複写機本体１は、コピーされた（画像形成された）用紙１１５の枚数をカウントする枚数カウンタ８００を備えている。該枚数カウンタ８００は、前述した排出スイッチＳＷを通過した用紙１１５の検出によってカウントするようになっている。該枚数カウンタ８００が所定のカウント値であるＴ２に達したことに応じて前記ソレノイド６６０を所定量駆動させて巻取ローラ６３１によりウェブ６０１を巻き取る巻取制御手段７１０が作動するようになっている。本実施形態ではＴ２＝３０枚で該巻取制御手段７１０が作動するようになっているが、Ｔ２の値は適宜選択可能である。また、巻取ローラ６３０によるウェブ６０１の１回あたりの巻取量は数ミリ程度でよいがこの巻取量も適宜選択できる。
【００２７】
また、複写機本体１は、上記枚数カウンタ８００は所定のカウント値であるＴ１に達したことに応じて表示部９００にメンテナンスを行う旨を表示させるメンテナンス表示指示手段８１０を備えている。該メンテナンス表示指示手段８１０は、該枚数カウンタ８００がＴ１に達したことに応じて作動するが、本実施形態ではＴ１＝５０００００枚に設定されている。尚，Ｔ１の値は、機種によってメンテナンスの寿命であるコピー枚数に設定すればよく、この値は適宜選択が可能である。該メンテナンス表示指示手段８１０が作動し、表示部９００にメンテナンスを行う旨が表示されると、ユーザーはサービスマンへ連絡し、サービスマンは適宜所望の部品等を交換したり、メンテナンスを行うこととなる。該メンテナンスが終了すれば、サービスマンは枚数カウンタ８００をリセットし、該枚数カウンタ８００は、再びコピーされた用紙１１５の枚数をカウントすることとなる。
【００２８】
上記巻取制御手段７１０が作動して、巻取ローラ６３０によるウェブの巻き取りが行われると、該巻き取りの回数をカウントするウェブ巻取カウンタ７２０がカウントを行う。該ウェブ巻取カウンタ７２０はウェブクリーニングユニット６００に備えられており、駆動源であるソレノイド６６０と電気的に接続されている。即ち、ソレノイド６６０が作動する毎に、該ウェブ巻取カウンタ７２０はカウントを行うこととなる。
【００２９】
ウェブクリーニングユニット６００は、該ウェブ巻取カウンタ７２０が所定のカウント値であるＴ３に達したことに応じて該表示部９００にウェブ６０１を交換する旨を表示させるウェブ交換表示指示手段７３０をも備えている。本実施形態では、Ｔ３＝１７０００に設定されている。即ち、巻取制御手段７１０は、複写機本体１によってコピーされた用紙１１５の枚数が３０枚に１回作動するので、該ウェブ交換表示指示手段７３０は３０×１７０００＝５１００００枚で作動することとなる。これは、巻取ローラ６３０によってウェブ６０１がほぼ巻き取られ、ウェブの交換を行う必要があると予測したコピー枚数に設定されている。尚，上記Ｔ３はウェブ６０１の交換が必要であると予測される値に設定しているもので，機種によってこの値は適宜選択可能である。
【００３０】
さらに、複写機本体１は、巻取ローラ６３０によるウェブ６０１の巻き取りがほぼ完了し、巻き取られるべきウェブ６０１が捲回ローラ６１０にはなく、これ以上巻き取りローラ６３０によってウェブ６０１を巻き取るとウェブクリーニングユニット６００に支障をきたすと予測されるコピー枚数に達したときには、複写機本体１の作動を禁止してコピーができないようにしている。このような動作も、ウェブ巻き取りカウンタ７２０のカウント値に基づいて行われる。即ち、複写機本体１には、該ウェブ巻取カウンタ７２０が所定のカウント値であるＴ４に達したことに応じて複写機本体１の作動を停止させる機械ロック指示手段（図示せず）をも備えている。本実施形態では、Ｔ４＝１８０００に設定されている。即ち，該機械ロック指示手段は、複写機本体１によってコピーされた用紙の枚数が３０×１８０００＝５４００００枚で作動することとなる。
【００３１】
続いて、図４を参照し、クリーニング装置の動作をフローチャートを用いて説明する。まず、複写機本体１によってコピーがされると（Ｓ１）、排出スイッチＳＷによって用紙１１５が検出され、枚数カウンタ８００のカウント値がカウントされる（Ｓ２）。次に、枚数カウンタ８００によるカウント値が所定のカウント値である５０００００（Ｔ１）に達したかどうかが判定される（Ｓ３）。達していなければ（Ｎが５０００００よりも小さければ）Ｓ４へと進み、達していれば（Ｎが５０００００よりも大きければ）Ｓ１３へと進む。Ｓ４では、複写機本体１でコピーされた用紙１１５の枚数が３０枚毎にウェブ６０１を所定量巻き取るために、枚数カウンタ８００のカウント値が３０の倍数であるか否かが判定される。３０の倍数でない場合にはＳ１へ戻り、３０の倍数である場合には、巻取制御手段７１０を作動させる（Ｓ５）。この巻取制御手段７４０の作動により、ソレノイド６６０が駆動（プランジャー６６１が図２の矢印Ｆ方向に移動）し、駆動ギア６５１、伝達ギア６４１を介して巻取ローラ６３０が図２の矢印Ｂ方向に所定量回転し、ウェブ６０１が巻き取られ、新しいウェブ６０１が加熱ローラ４０１の表面に当接することとなる。その後，該プランジャー６６１は図２の矢印Ｆ方向と反対の方向に移動して元の待機状態に戻ることとなるが、駆動ギア６５１にはラチェットギア部６５２が内蔵されているので、駆動ギア６５１は図２の矢印Ｅ方向と反対方向に回転することはない。さらに伝達ギア６４１と同軸にワンウェイギア６４２が配置されているため、巻取ローラ６３１も図２の矢印Ｂ方向と反対方向に回転することがないので、巻取ローラ６３０による安定したウェブ６０１の巻き取りが可能である。
【００３２】
上記巻取制御手段７１０が作動すると、ウェブ巻取カウンタ７２０のカウント値がカウントされる（Ｓ６）。次に、ウェブ巻取カウンタ７２０によるカウント値が所定のカウント値である１７０００（Ｔ３）に達したかどうかが判定される（Ｓ７）。達していなければ（Ｍが１７０００よりも小さければ）Ｓ１へと戻り、達していれば（Ｍが１７０００より大きければ）Ｓ８へと進む。Ｓ８では、ウェブ巻取カウンタ７２０のによるカウント値が所定のカウント値である１８０００（Ｔ４）に達しているか否かが判定される。達していなければ（Ｍが１８０００よりも小さければ）Ｓ９へと進み、達していれば（Ｍが１８０００より大きければ）Ｓ１５へと進む。
【００３３】
Ｓ９では、即ち，ウェブ巻取カウンタ７２０のカウント値が１７０００より大きく１８０００よりも小さい場合、ウェブ交換表示指示手段７３０が作動し、表示部９００へウェブ６０１を交換する旨を表示する。このような表示が表示部９００で表示されると、ユーザーはサービスマンへ連絡を行い、サービスマンはウェブ６０１を新しいものと交換する（Ｓ１０）。ウェブ６０１が交換されたか否かにかかわらず、Ｓ１１へと進む。
【００３４】
一方，Ｓ３でＮＯの場合、即ち、枚数カウンタ８００によるカウント値が所定のカウント値である５０００００（Ｔ１）に達している場合、メンテナンス表示指示手段が作動し（Ｓ１３）、表示部９００にメンテナンスを行う旨が表示される。このような表示が表示部９００で表示されると、ユーザーはサービスマンへ連絡を行い、サービスマンは部品の交換やメンテナンスを行うこととなる（Ｓ１４）。このような表示が表示部に表示されても、ユーザーはサービスマンへの連絡を行わずメンテナンスがされなかった場合には、Ｓ４へと進み、複写機本体１によるコピーが継続されておこなわれることとなる。しかしながら、Ｓ８においてウェブ巻取カウンタ７２０のカウント値が１８０００を超えると（複写機本体１によりコピーされた用紙の枚数が１８０００×３０＝５４００００枚を超えると）、複写機本体１の作動を停止させる機械ロック指示手段が作動し（Ｓ１５）、複写機本体１はコピーすることができない状態となる。その後、Ｓ１４へ戻ることとなる。
【００３５】
Ｓ１４で、サービスマンによるメンテナンスが実施されると（Ｓ１４でＹＥＳの場合）Ｓ１０へ進むこととなる。ここで、メンテナンス表示指示手段８１０が作動するのは、枚数カウンタ８００のカウント値が５０００００枚で作動し、このときのウェブ巻取カウンタ７２０のカウント値は１６６６６（５０００００÷３０）であるが、まもなく所定のカウント値であるＴ３に達するので、サービスマンはウェブ６０１の交換も行うこととなる。したがって、Ｓ１０でウェブ６０１の交換が行われたか否かにかかわらず、Ｓ１１へ進むこととなる。
【００３６】
Ｓ１１では、枚数カウンタ８００がリセットされたか否かが判定される。リセットされていない場合（Ｓ１１でＮＯの場合）、Ｓ１３へ戻り、メンテナンス表示指示手段８１０を作動させてメンテナンスを行う旨を表示部９００に表示させる。枚数カウンタ８００がリセットされれば（Ｓ１１でＹＥＳの場合）、Ｓ１２へ進むこととなる。
【００３７】
Ｓ１２では、ウェブ巻取カウンタ７２０がリセットされたか否かが判定される。ウェブ巻取カウンタ７２０がリセットされれば問題ないが、リセットをし忘れた場合（Ｓ１２でＮＯの場合）、Ｓ９へ戻ってウェブ交換表示指示手段７３０を作動させる。このように、ウェブ巻取カウンタ７２０をリセットし忘れたとしても、ウェブ交換表示指示手段７３０を作動させて、表示部９００にウェブ６０１を交換する旨を表示させるようにしているので、サービスマンはウェブ６０１の交換を行っていない場合にはウェブ６０１の交換をしなければならないことに気づく。また、ウェブ６０１の交換を行っている場合には、交換を行ったにもかかわらずこのような表示が出るので異変に気づく。この表示を表示部９００から消すにはウェブ巻取カウンタカウンタ７２０をリセットするしかないので、サービスマンは必ずウェブ巻取カウンタ７２０をリセットすることとなる。これによって、ウェブ６０１の交換が確実になるとともに、ウェブ６０１を交換した直後（数十枚あるいは数百枚のコピー）に、ウェブ６０１の交換を行う旨の表示が表示部９００に表示されることはなく、適正にコピーを行えることとなる。
【００３８】
次にウェブ６０１の交換表示がなされた場合のウェブクリーニングユニットの交換手順について、再び図３を使用して説明する。
前述したようにウェブクリーニングユニット６００はユニット化され、交換可能となっている。このウェブクリーニングユニット６００へは定着装置４００側に取り付けられた伝達ギア６４１とウェブクリーニングユニット６００側に取り付けられた巻取りギア６３１の噛み合わせを解除することによって取り外すことが可能となる。
【００３９】
しかしながら、巻取りローラ６３０は駆動伝達経路に備えられたワンウェイギア６４２の作用で、通常は図２中反時計方向への回転はウェブのたるみが発生するため規制されている。そのためこの実施例では、ウェブクリーニングユニット６００の取り出し時のみ巻取りギア６３１を中心にして、巻取り軸６３２を反時計方向まわりの回転を許容するような機構が採用されている。
具体的には図３に示したように、巻取りギア６３１は、その中心に巻取りローラの軸６３２に対して回転自在に勘合する孔６３３を備えている。そしてこの孔６３３に対して臨接して略扇状の空間６３４，６３５が２つ向かい合って形成されている。また巻取りローラ６３０の軸６３２にはピン６７０が取り付けられており、ピン６７０はこの扇状空間６３４，６３５を軸６３２の回転に伴って移動できるようになっている。
【００４０】
今、駆動ギア６５１が回転し、その回転力がワンウェイギア６４２、伝達ギア６４１を介して巻取りギア６３０に伝えられると、巻取ギア６３０は図３中矢印方向に回転し、ピン６７０が扇状空間６３４，６３５の側壁６７２，６７３に当接することで巻取りローラ軸６３２に回転が伝えられる。
こうして定着ローラ４０１表面に当接したウェブ６０１は巻取ローラ６３０に巻き取られる。このとき、巻取ギア６３１はワンウェイギア６４２を備えた伝達ギア６４１と噛合っているため、図中矢印方向にのみ回転し、逆方向の回転はワンウェイギア６４２により規制されている。その結果、ウェブにはたるみが生じない。
【００４１】
次にこうしてワンウェイギア６４２により回転が一方向にのみ規制された巻取りローラ６３０を備えたクリーニング装置６００の定着装置からの取り出しについて第５図を用いて説明する。
クリーニング装置６００は、使用状態においては、５ａ図に示すように、定着装置４００の前後側板（図面は奥側の側板７０２）に設けた斜め方向に指向させて形成したガイド溝７００対して、巻取り軸６３２を装着させている。このクリーニングユニットは図に示したような水平状態で定着装置本体に対してネジなどの手段で固定されている。
今、クリーニングユニットの寿命が来て交換するとする。
まず、定着装置本体に固定していたネジを外し、５ｂ図に示すように巻取りギア６３１を中心として図中時計方向に回転させる。このとき、巻取ギア６３１はワンウェイギア６４２と同軸に固定された伝達ギア６４１に噛合っており、それ自体は回転しない。しかし、巻取ギア６３１には扇状空間６３４，６３５が形成されているため、ユニット６００の回転に伴って巻取り軸６３２も時計方向に回転することができる。なお図中三角印は、巻取軸６３２などの回転状態を示している。
こうして、巻取りギア６３１と伝達ギア６４１との噛合いが解除できる状態までクリーニングユニット６００を回転し終わると、側板７０２に形成した溝７００に沿って巻取軸６３２を引き出すことでユニット６００を定着装置４００から矢印方向に引き出すことが可能となる。
【００４２】
このように、扇状空間６３４，６３５を利用することで、極めて簡単な機構によりワンウェイギアにより回転を規制された伝達ギア６４１と噛合った巻取りギア６３１を回転させることなく、巻取軸６３２を回転させ、巻取ギア６３０と伝達ギア６４１との噛合わせを解除することができる。なお、この実施例では1つの扇状空間の大きさを巻取ギア６３１の中心に対して１／４角程度としているが、クリーニングユニット６００を取出す際にピン６７０が回転できる大きさがあればよく、使用する装置に応じて適宜決めることができる。
【００４３】
上記実施形態では、駆動源としてソレノイドを用いたが本発明はこれに限定されるものではなくモータ等駆動源として持ち入れるものであれば何であってもかまわない。また、駆動源からギアを介して巻取ローラを回転させるようにしたが、直接巻取ローラを回転させるようにしてもかまわない。
【００４４】
また、上記実施形態におけるフローチャートではＳ１２のウェブ巻取カウンタのカウント値をリセットしなかった場合（Ｓ１２でＮＯの場合）、Ｓ９へ戻りウェブ交換表示指示手段を作動させるようにしたが、ウェブ巻取カウンタのカウント値を所定のカウント値であるＴ３とした後、Ｓ７へ戻した後、Ｓ９においてウェブ交換表示指示手段を作動させるようにしてもかまわない。
また、上記実施形態は複写機の例について説明したが、本発明はファクシミリやプリンター等の画像形成装置全般に適用が可能である。
【００４５】
【発明の効果】
この発明によれば、巻取りギアが巻取り軸に対して所定角度回転自在になっているため、巻取り機構の駆動連結手段に例えワンウェイクラッチが挿入されている場合でも、取り出し時に巻取りギアが回転し駆動ギアとの噛み合わせを簡単に解除することが可能となる。したがって、ウェブのたるみを防止するために、巻き取りギアに駆動源からの駆動を伝達する伝達ギアの回転軸にワンウェイクラッチが取り付けられている場合でもウェブクリーニングユニットを容易にとりだすことができる。
【００４７】
【図面の簡単な説明】
【図１】    本発明の定着装置を適用した複写機の概略断面図
【図２】    定着装置を示す模式的断面図
【図３】    クリーニング装置の部分斜視図
【図４】    フローチャート
【図５】    クリーニングユニットに取付た巻取ギアの動作を説明する模式図
【符号の説明】
１      複写機本体
４００  定着装置
４０１  加熱ローラ
４０２  加圧ローラ
６００  ウェブクリーニングユニット
６０１  ウェブ
６１０  捲回ローラ
６２０  押圧ローラ
６３０  巻取ローラ
６３１  巻取ギア
６４１  伝達ギア
６４２  ワンウェイギア
６４３  ワンウェイクラッチ
６５１  駆動ギア
６６０  ソレノイド（駆動源）
７１０  巻取制御手段
７２０  ウェブ巻取カウンタ
７３０  ウェブ交換表示指示手段
８００  枚数カウンタ
８１０  メンテナンス表示指示手段
９００  表示部
ＳＷ    排出スイッチ
【図１】
0003684349.tif 000002
【図２】
0003684349.tif 000003
【図３】
0003684349.tif 000004
【図４】
0003684349.tif 000005
【図５】
0003684349.tif 000006